(57)【要約】【課題】  引き手の構造を複雑にすることなく、プロテクタを引き手のへこみに引っ込ませたり突出させたりすることができるようにする。【解決手段】  プロテクタ３０は、通常では、引き手本体２０のへこみ２０Ｒ１内でプロテクタ本体３０Ｂが垂直状態となっており、引き戸５０を開く前に、プロテクタ本体３０Ｂを枢軸４２Ｐで手で回動して引き手本体２０のへこみ２０Ｒ１内から先端部分が突出するようにする。この突出する先端部分が引き戸５０を開く際に隣の引き戸や戸袋に指が挟まれないようにする。【選択図】        図１
2006125052.tif 000002
【特許請求の範囲】
【請求項１】
引き手本体に設けられ前記引き手本体の表面と同一面か前記表面よりも引っ込んだ第１の位置と前記引き手本体の表面から突出する第２の位置との間を移動するプロテクタ本体を有するプロテクタを備えた引き手において、前記プロテクタは、前記プロテクタ本体を前記引き手本体のへこみ内に格納された第１の位置と前記引き手本体のへこみから突出する第２の位置との間を手動で直接変位する手動変位手段を備えていることを特徴とする引き手。
【請求項２】
請求項１に記載の引き手であって、前記手動変位手段は、前記第１及び第２の位置に前記プロテクタ本体を維持するプロテクタ位置保持部を有していることを特徴とする引き手。
【請求項３】
請求項１又は２に記載の引き手であって、前記手動変位手段は、前記プロテクタ本体が前記第１の位置では前記へこみ内で垂直状態となり、前記第２の位置では前記へこみ内から一部が突出する水平状態となるように前記プロテクタ本体を前記引き手本体のへこみ内で枢動自在に支持するプロテクタ枢支部から成っていることを特徴とする引き手。
【請求項４】
請求項３に記載の引き手であって、前記手動変位手段は、前記第１及び第２の位置に前記プロテクタ本体を位置保持するプロテクタ位置保持手段を更に含むことを特徴とする引き手。
【請求項５】
請求項３又は４に記載の引き手であって、前記プロテクタ枢支部は、前記プロテクタ本体の垂直状態での下半部寄りに設けられていることを特徴とする引き手。
【請求項６】
請求項３乃至５のいずれかに記載の引き手であって、前記プロテクタ位置保持部は、前記プロテクタ本体を垂直状態に保持するように前記プロテクタ本体と前記引き手本体のへこみの壁との間に設けられて相互に弾性的に係止する部分から成っていることを特徴とする引き手。
【請求項７】
請求項４乃至６のいずれかに記載の引き手であって、前記プロテクタ位置保持部は、前記プロテクタ本体を水平状態に維持するように前記プロテクタ本体の一部分に係合するストッパから成っていることを特徴とする引き手。
【請求項８】
請求項１に記載の引き手であって、前記手動変位手段は、前記プロテクタ本体を前記引き手本体のへこみ内に引っ込んだ第１の位置と前記プロテクタ本体を前記引き手本体のへこみから一部が突出する第2の位置とを水平状態のままに変位するように案内するプロテクタ水平案内部から成っていることを特徴とする引き手。
【請求項９】
請求項８に記載の引き手であって、前記プロテクタ水平案内部は、前記プロテクタ本体の長孔を貫通して前記プロテクタ本体を案内する案内杆と前記プロテクタ本体の少なくとも一方の面に係合して前記プロテクタ本体を水平に保持する水平壁とから成っていることを特徴する引き手。
【請求項１０】
請求項９に記載の引き手であって、前記長孔は、その両端に設けられ前記プロテクタ本体の第１の位置と第２の位置とで前記案内杆が弾性的に係入して前記プロテクタ本体を安定して保持する弾性係止孔部分を有することを特徴とする引き手。
【請求項１１】
請求項１に記載の引き手であって、前記プロテクタ本体は略扇形部材から成っており、前記手動変位手段は、前記第１の位置と前記第２の位置との間を前記略扇形部材の周面が前記引き手本体の前記へこみの水平壁に常に小さな間隙を保って対向するように前記扇形部材の隅部分を枢動自在に支持するプロテクタ枢支部と前記プロテクタ本体の第１の位置と第２の位置とを維持するプロテクタ位置保持部とから成っていることを特徴とする引き手。
【請求項１２】
請求項１１に記載の引き手であって、前記プロテクタ位置保持部は、前記引き手本体に設けられ前記第１の位置で前記略扇形部材の一側面を下支えする第１位置支持片と前記第２の位置で前記略扇形部材の隅部から延びる延長片を上支えする第２位置支持片とから成っていることを特徴とする引き手。
【請求項１３】
請求項１２に記載の引き手であって、前記第１位置支持片と第２位置支持片とが同一支持片であることを特徴とする引き手。
【発明の詳細な説明】
【技術分野】
【０００１】
本発明は、例えば、引き戸に取り付けられてこの引き戸を開閉するのに用いられる引き手に関し、特にこの引き手に設けられて引き戸を手で開く際に手指が隣り合う引き戸の間又は引き戸と戸袋との間に挟み込まれることがないようにするプロテクタを改良した引き手に関するものである。
【背景技術】
【０００２】
引き戸に取り付けられてこの引き戸を開閉するのに用いられる引き手は、この引き手に手を入れて引き戸を開く際に手指が引き戸と引き戸の間や引き戸と戸袋との間に挟み込まれることがないようにするプロテクタを備えている。
【０００３】
１つの従来技術の引き手においては、このプロテクタは、引き手のフランジにねじ止めによって取り付けられて隣の引き戸や戸袋の開口付近より内側に引き手指が挟み込まれないようにするストッパから成っている（特許文献１参照）。
【０００４】
しかし、このプロテクタは、ストッパが常に戸面から突出しているので、引き戸を開けたときに、この引き戸の開放による有効開口面積がストッパによって制限され、このため、例えば、車椅子や幅広の家具を通過させるのに支障となる欠点があった。
【０００５】
他の従来技術による引き手では、プロテクタは、引き手のへこみ内で揺動自在に支持されているストッパと、このストッパを通常では引き手本体のへこみ内に収納されるようにばね付勢しているが戸を閉じる方向に引き手を引くと指で押されるハンドルによってストッパの一部が戸面から突出するようにこのストッパが揺動されるように構成した連動手段とから成っている（特許文献２参照）。
【０００６】
このプロテクタは、ストッパが隣の引き戸又は戸袋の開口面に衝合した後ハンドルを解放すると、ストッパが引き手のへこみ内に戻されて引き手を含む引き戸全体を隣の引き戸に重ね合わせるか戸袋に引き込むことができるので、引き戸の有効開口面積が増大する。
【０００７】
しかし、この構造の引き手は、引き手のハンドルとプロテクタのストッパとを連動する連動手段を必要とするので、構造が複雑となる上に、ハンドルを押す力がストッパのばね付勢に打ち勝たなければならないので、引き戸が軽量であったり軽い力で引き戸を開閉したりすることができる場合には、ハンドルを押す力がストッパのばね付勢に打ち勝つことができないでストッパの突出を確実に行うことができない欠点があった。
【０００８】
【特許文献１】特許第３４１８３０６号公報
【特許文献２】特開２００３−１９３７１１号公報
【発明の開示】
【発明が解決しようとする課題】
【０００９】
本発明が解決しようとする１つの課題は、引き手の構造を複雑にすることなく、プロテクタを引き手のへこみに引っ込ませたり突出させたりすることができる引き手を提供することにある。
【００１０】
本発明が解決しようとする他の課題は、プロテクタの突出を確実に行うことができるようにした引き手を提供することにある。
【課題を解決するための手段】
【００１１】
本発明の基本的な課題解決手段は、引き手本体に設けられ戸面と同一面か戸面よりも引っ込んだ第１の位置と戸面から突出する第２の位置との間を移動するプロテクタ本体を有するプロテクタを備えた引き手において、このプロテクタは、プロテクタ本体を引き手本体のへこみ内に格納された第１の位置と引き手本体のへこみから突出する第２の位置との間を手動で変位する手動変位手段を備えていることを特徴とする引き手を提供することにある。この手動変位手段は、第１の位置と第２の位置にプロテクタ本体を位置保持するプロテクタ位置保持手段を備えているのが好ましい。
【００１２】
本発明の基本的な課題解決手段において、第１の形態による手動変位手段は、プロテクタ本体が第１の位置ではへこみ内で垂直状態となり、第２の位置ではへこみ内から一部が突出する水平状態となるようにプロテクタ本体を引き手本体のへこみ内に枢動自在に支持するプロテクタ枢支部から成っている。
【００１３】
この第１の形態において、プロテクタ枢支部は、プロテクタ本体の垂直状態での下半部寄りに設けられているのが好ましく、またプロテクタ位置保持部は、プロテクタ本体を垂直状態に保持するようにプロテクタ本体と引き手本体のへこみの壁との間に設けられて相互に弾性的に係止する部分から成っており、更に、プロテクタ位置保持部を有する場合には、このプロテクタ位置保持手段は、プロテクタ本体を水平状態に維持するようにプロテクタ本体の一部分に係合するストッパから成っているのが好ましい。
【００１４】
本発明の基本的な課題解決手段において、第２の形態による手動変位手段は、プロテクタ本体を引き手本体のへこみ内に引っ込んだ第１の位置とプロテクタ本体を引き手本体のへこみから一部が突出する第２の位置とを水平状態のまま変位するように案内するプロテクタ水平案内部から成っている。
【００１５】
この第２の形態において、プロテクタ水平案内部は、プロテクタ本体の長孔を貫通してプロテクタを案内する案内杆とプロテクタ本体の少なくとも一方の面に係合してプロテクタ本体を水平に保持する水平壁とから成っているのが好ましい。また、この長孔は、その両端に設けられプロテクタ本体の第１の位置と第２の位置とで案内杆が弾性的に係入してプロテクタ本体を安定して保持する弾性係止孔部分を有するのが好ましい。
【００１６】
本発明の基本的な課題解決手段において、第３の形態による手動変位手段では、プロテクタ本体は、略扇形部材から成っており、この第３の形態による手動変位手段は、第１の位置と第２の位置との間を略扇形部材の周面が引き手本体のへこみの水平壁に常に小さな間隙を保って対向するように略扇形部材の隅部分を枢動自在に支持するプロテクタ枢支部とプロテクタ本体の第１の位置と第２の位置とを維持するプロテクタ位置保持部とから成っている。
【００１７】
第３の形態において、プロテクタ位置保持部は、引き手本体に設けられ第１の位置で略扇形部材の一側面を下支えする第１位置支持片と第２の位置で略扇形部材の隅部から延びる延長片を上支えする第２位置支持片とから成っているのが好ましく、この場合、第１位置支持片と第２位置支持片とが同一支持片であるのが一層好ましい。
【発明の効果】
【００１８】
本発明によれば、上記のように、プロテクタは、プロテクタ本体を引き手本体のへこみ内に格納された第１の位置と引き手本体のへこみから突出する第２の位置との間を手動で揺動又は水平移動等によって変位するようにしたので、プロテクタ本体をばね付勢に抗して変位する従来技術の連動手段を有する引き手に比べて構造が簡単であり、また引き手を開く力が弱すぎてもプロテクタ本体（ストッパ）を突出し損なうことがなく、プロテクタ本体を確実に突出位置（第２の位置）に変位することができる。
【００１９】
また、プロテクタ本体は、手動で変位させるが、第１の位置（格納位置）及び第２の位置（突出位置）にそれぞれ確実に保持されるので、引き手による引き戸の開閉に支障を来たすことがない。
【００２０】
特に、プロテクタ本体が略扇形部材から成っており、第１の位置と第２の位置との間を略扇形部材の周面が引き手本体のへこみの水平壁に常に小さな間隙を保って対向するように略扇形部材の隅部分を枢動自在に支持すると、第１の位置でも第２の位置でもプロテクタ本体が枢支されているへこみ部分の開口が閉じられるので見栄えが良好となる上にプロテクタ本体とへこみとの間に塵埃が入り込むことがなく、また略扇形部材がプロテクタ位置保持部と協働してその自重で第１と第２の位置とにそれぞれ位置保持されるので、引き手本体の壁とプロテクタ本体との間での弾性的な係止作用を必要としないから構造が簡単となる。
【発明を実施するための最良の形態】
【００２１】
本発明の実施の形態を図面を参照して詳細に述べると、図１乃至図５は、本発明の第１の形態による引き手１０を示し、図６乃至図１０は、本発明の第２の形態による引き手１０を示し、また図１１及び図１２は、本発明の第３の形態による引き手１０を示している。これらの形態の引き手１０は、引き手本体２０に設けられ引き手本体２０の表面と略同一面かこの表面よりも引っ込んだ第１の位置Ｐ１（図４、図９及び図１１参照）と引き手本体２０の表面から突出する第２の位置Ｐ２（図５、図１０及び図１２参照）との間を移動するプロテクタ本体３０Ｂを有するプロテクタ３０を備えている。このプロテクタ３０は、プロテクタ本体３０Ｂを引き手本体２０のへこみ２０Ｒ内に配置された第１の位置Ｐ１と引き手本体２０のへこみ２０Ｒから突出する第２の位置Ｐ２との間を手動で変位する手動変位手段４０を備えている。引き手本体２０は、金属又はプラスティックから作られるが、プロテクタ本体３０Ｂは、他の引き戸又は戸袋の端面に緩衝的に衝合するようにプラスティックから作られるのが好ましい。なお、第２の位置でプロテクタ本体３０Ｂが引き手本体２０の「表面と略同一面」とは、プロテクタ本体３０Ｂの表面に完全に一致している状態の他に、引き戸５０が隣の引き戸に重合するか戸袋に引き込まれるのに支障がない程度にプロテクタ本体３０Ｂの表面から若干出っ張っている状態も含むことを意味する。
【００２２】
図示の形態では、引き手本体２０は、フランジ２０Ｆ１、フランジ２０Ｆ２とへこみ２０Ｒ１、２０Ｒ２とをそれぞれ有する略矩形状引き手半部材２０Ｍ１、２０Ｍ２から成り、これらの引き手半部材２０Ｍ１、２０Ｍ２は、そのフランジ２０Ｆ１、２０Ｆ２を引き戸５０の矩形状の取付け孔５０Ｈの縁に係合し、一方の半部材２０Ｍ２のねじ貫通孔２０Ｈ２を貫通する止めねじ２２を他方の半部材２０Ｍ１のねじ孔２０Ｈ１にねじ込んで相互に引き付けることによって引き戸５０に固定して引き手本体２０を形成している。
【００２３】
先ず、図１乃至図５の第１の形態による手動変位手段４０を説明すると、この手動変位手段４０は、第１の位置Ｐ１では引き手本体２０のへこみ２０Ｒ１内でプロテクタ本体３０Ｂが垂直状態（図１及び図４参照）となり、第２の位置Ｐ２ではへこみ２０Ｒ１内から一部が突出してプロテクタ本体３０Ｂが水平状態（図５参照）となるようにプロテクタ本体３０Ｂを引き手本体２０のへこみ２０Ｒ１内に枢動自在に支持するプロテクタ枢支部４２と、プロテクタ本体３０Ｂの垂直状態と水平状態とを維持するプロテクタ位置保持部４４とから成っている。
【００２４】
プロテクタ枢支部４２は、引き手本体２０の半部材２０Ｍ１のへこみ２０Ｒ１内でこの半部材２０Ｍ１を幅方向に横切ってその側壁に固定されてプロテクタ本体３０Ｂを枢動自在に支持する枢軸４２Ｐから成り、この枢軸４２Ｐは、図１及び図４に示すように、プロテクタ本体３０Ｂの垂直状態での下半部寄り、即ちプロテクタ本体３０Ｂの中央よりも下半部側でこのプロテクタ本体３０Ｂを支持しているのが好ましい。
【００２５】
プロテクタ位置保持部４４は、図４に拡大して示すように、プロテクタ本体３０Ｂを垂直状態に保持するようにプロテクタ本体３０Ｂと引き手本体２０のへこみ２０Ｒ１の壁との間に設けられて相互に弾性的に係止する部分４４ＲＰから成っている。図示の形態では、引き手本体２０のへこみ２０Ｒ１の上壁に設けられた丸い小突起４４Ｐとプロテクタ本体３０Ｂの垂直状態の上端面に設けられた相応する丸い小凹部４４Ｒとから成り、プロテクタ本体３０Ｂを水平状態(図５の状態)から垂直状態(図１及び図４の状態)にしたときに、小突起４４Ｐが小凹部４４Ｒにプロテクタ本体３０Ｂの弾性作用で食い込んでプロテクタ本体３０Ｂが垂直状態に保持される。この状態から、プロテクタ本体３０Ｂを枢軸４２Ｐを中心に揺動して水平状態に向けて倒そうとするときには、小凹部４４Ｒが小突起４４Ｐから弾性的に解放される。なお、プロテクタ本体３０Ｂの小凹部４４Ｒを設けることなく、小突起４４Ｐがプロテクタ本体３０Ｂの垂直状態でその上面に弾性的に係合して位置保持するようにしてもよい。
【００２６】
プロテクタ位置保持部４４は、更に、プロテクタ本体３０Ｂを水平状態に維持するようにプロテクタ本体３０Ｂの一部分に係合するストッパ４４Ｓも有している。このストッパ４４Ｓは、図５に拡大して示すように、へこみ２０Ｒ１の壁の一部を段状に盛り上げて形成されている。
【００２７】
図示の例では、プロテクタ本体３０Ｂは、垂直状態で、その正面の下方に丸い凹状の指当て３０ｆ１を有し、この指当て３０ｆは、プロテクタア本体３０Ｂを垂直状態（第１の位置）から水平状態(第２の位置)に揺動するためにプロテクタ本体３０Ｂに指を当ててプロテクタ本体３０Ｂの下方部分を押し込むのに用いられるが、この指当て３０ｆ１は、特に設けなくてもよい。
【００２８】
次に、この図１乃至図５の形態による引き手１０の使用状態を述べると、通常では、図１及び図４に示すように、プロテクタ本体３０Ｂは、引き手本体２０のへこみ２０Ｒ１内に垂直状態に格納されている（第１の位置にある）。
【００２９】
引き戸５０を開く際には、その開き動作の前に、プロテクタ３０のプロテクタ本体３０Ｂを指当て３０ｆ１に指を当てながら図１及び図４の状態から押し込んでプロテクタ本体３０Ｂを反時計方向に揺動し、図５に示す水平状態（第２の位置）にする。この位置では、プロテクタ本体３０Ｂの先端部分は、引き手本体２０から突出し、この状態で引き手本体２０のへこみ２０Ｒ１に指を入れてプロテクタ本体３０Ｂを有する側に向けて引き手本体２０を引いて引き戸５０を開く。引き戸５０が完全に開く位置に近い位置に達すると、引き手本体２０(即ち引き戸５０)から突出しているプロテクタ本体２０の先端部分が隣の引き戸又は戸袋の端面に衝合して誤って引き手内の指が隣の引き戸との間の隙間や戸袋の開口の隙間に引き込まれることがなく、引き戸５０を安全に開くことができる。
【００３０】
引き戸５０を隣の引き戸に完全に重合させるか戸袋内に完全に引き込ませたい場合には、引き戸５０を僅かに引き戻してプロテクタ本体３０Ｂを隣の引き戸又は戸袋から引き離し、水平状態（第２の位置）にあるプロテクタ本体３０Ｂの下面を図５の位置から押し上げて図１及び図４に示す垂直状態に戻す。このようにすると、プロテクタ本体３０Ｂは、引き手本体２０内に格納されるので、引き戸５０は、プロテクタ本体３０Ｂに干渉されることなく、隣の引き戸に安全に重合したり戸袋に完全に引き込んだりすることができる。従って、引き戸５０を完全に開いて有開口面積を大きくして車椅子の通過や大きな家具の出し入れを容易に行うことができる。
【００３１】
引き戸５０を閉じた状態では、プロテクタ本体３０Ｂが突出している第２の位置のままでもよいが、図１及び図４に示すように、引き手本体２０内に格納するのが好ましい。
【００３２】
次に、図６乃至図１０の形態の手動変位手段４０を説明すると、この手動変位手段４０は、プロテクタ本体３０Ｂを引き手本体２０のへこみ２０Ｒ１内に引っ込んだ第１の位置Ｐ１とプロテクタ本体３０Ｂを引き手本体２０のへこみ２０Ｒ１から一部が突出する第２の位置Ｐ２との間を水平状態のまま変位するように案内するプロテクタ水平案内部４６から成っている。
【００３３】
このプロテクタ水平案内部４６は、プロテクタ本体３０Ｂの長孔３０Ｈを貫通してプロテクタ本体３０Ｂを案内する案内杆４６Ｒと、プロテクタ本体３０Ｂの少なくとも一方の面に係合してプロテクタ本体３０Ｂを水平に保持する水平壁２０Ｗとから成っている。図示の形態では、水平壁２０Ｗは、引き手本体２０のへこみ２０Ｒ１の上壁であるのが示されているが、プロテクタ本体３０Ｂが摺動自在に収納されるようなくぼみの壁であってもよい。
【００３４】
図９及び図１０に拡大して示すように、長孔３０Ｈは、その両端に設けられプロテクタ本体３０Ｂの第１の位置Ｐ１(図９)と第２の位置Ｐ２（図１０）とで案内杆４６Ｒが弾性的に係入してプロテクタ本体３０Ｂを安定して保持する弾性係止孔部分３０ＨＥを有する。この弾性係止孔部分３０ＨＥは、案内杆４６Ｒが長孔３０Ｈの両端に入り込む際に案内杆４６Ｒに若干の抵抗を示すように形成された小さな突起３０ＨＲによって形成され、案内杆４６Ｒは、この小突起３０ＨＲを弾性的に潜り抜けてこの小突起３０ＨＲを超えると長孔３０Ｈの中央に向けて戻ることができないようになっている。
【００３５】
図示の例では、プロテクタ本体３０Ｂは、その下面の前縁に指掛け３０ｆ２を有し、この指掛け３０ｆ２は、プロテクタ本体３０Ｂを第１と第２の位置との間を前後に進退する際に指を掛けてプロテクタ本体３０Ｂの出し入れを容易にする機能を有する。
【００３６】
この第２の形態による手動変位手段４０を有する引き手１０の使用状態を述べると、通常では、図６及び図９に示すように、プロテクタ本体３０Ｂは、引き手本体２０のへこみ２０Ｒ１内に水平状態で格納されている（第１の位置にある）。
【００３７】
引き戸５０を開く際には、その開き動作の前に、プロテクタ３０のプロテクタ本体３０Ｂを指掛け３０ｆ２に指を掛けて図６及び図９の状態から手前に引いて図１０に示す前進位置（第２の位置）にする。この位置では、プロテクタ本体３０Ｂは、引き手本体２０から突出するので、この状態で引き手本体２０のへこみ２０Ｒ１に指を入れてプロテクタ本体３０Ｂを有する側に向けて引き手本体２０を引いて引き戸５０を開く。引き戸５０が完全に開く位置に近い位置に達すると、引き手本体２０(即ち引き戸５０)から突出しているプロテクタ本体３０の突出部分が隣の引き戸又は戸袋の端面に衝合するので、引き手内の指が誤って隣の引き戸との間の隙間や戸袋の開口の隙間に挟まれることがなく、引き戸５０を安全に開くことができる。
【００３８】
引き戸５０を閉じたときには、プロテクタ本体３０Ｂを押し込んで図１及び図４に示す後退格納位置（第１の位置）に戻すことができる。
【００３９】
図１乃至図５の第１の形態と同様に、引き戸５０を隣の引き戸に完全に重合させるか戸袋内に完全に引き込ませたい場合には、第１の形態の場合と同様に、引き戸５０を僅かに引き戻してプロテクタ本体３０Ｂを隣の引き戸又は戸袋から引き離し、前進位置（第２の位置）にあるプロテクタ本体３０Ｂを引き手本体２０のへこみ２０Ｒ１内に押し込めばよい。
【００４０】
更に、図１１及び図１２の第３の形態の手動変位手段４０を説明すると、この手動変位手段４０では、プロテクタ本体３０Ｂは、略扇形部材３０ＢＳから成っており、手動変位手段４０は、第１の位置Ｐ１と第２の位置Ｐ２との間を略扇形部材３０ＢＳの周面３０ＢＳＰが引き手本体２０のへこみ２０Ｒ１の水平壁２０Ｗに常に小さな間隙を保って対向するように略扇形部材３０ＢＳの根元部分３０Ｃを枢動自在に支持するプロテクタ枢支部４２とプロテクタ本体３０Ｂの第１の位置と第２の位置とを維持するプロテクタ位置保持部４４とから成っている。
【００４１】
プロテクタ枢支部４２は、引き手本体２０のへこみ２０Ｒ１の開口付近に支持された枢軸４２Ｐから成り、第１の位置では、図１１に示すように、略扇形部材３０ＢＳは、枢軸４２Ｐを中心に時計方向に倒れて引き手本体２０のへこみ２０Ｒ１内に格納され、第２の位置では、図１２に示すように、枢軸４２Ｐを中心に反時計方向に倒れてへこみ２０Ｒ１から部分的に突出するが、後に述べるように、略扇形部材３０ＢＳの右側上縁がへこみ２０Ｒ１の水平壁から外れることがないようにプロテクタ位置保持部４４によって保持される。なお、図１１及び図１２において符号２０Ｎは、略扇形部材３０ＢＳが第１の位置でその一部がへこみ２０Ｒ１の底壁に干渉することがないように底壁に設けられた切欠き孔である。
【００４２】
第３の形態におけるプロテクタ位置保持部４４は、引き手本体２０に設けられ第１の位置Ｐ１で略扇形部材３０ＢＳの一側面を下支えする第１位置支持片４４Ｓ１と第２の位置Ｐ２で略扇形部材３０ＢＳの根元部分３０Ｃから延びる延長片３０Ｅを上支えする第２位置支持片４４Ｓ２とから成っている。図示の形態では、第１位置支持片４４Ｓ１と第２位置支持片４４Ｓ２とは、同一支持片４４Ｓから成っている。
【００４３】
このように、プロテクタ本体３０Ｂが略扇形部材３０ＢＳから成っており、第１の位置Ｐ１と第２の位置Ｐ２との間を略扇形部材３０ＢＳの周面３０ＢＳＰが引き手本体２０のへこみ２０Ｒ１の水平壁に常に小さな間隙を保って対向するように略扇形部材３０ＢＳの根元部分３０Ｃを枢動自在に支持すると、第１の位置Ｐ１でも第２の位置Ｐ２でもプロテクタ本体３０Ｂが支持されているへこみ２０Ｒ１の部分の開口が閉じられるので、引き手１０の見栄えが良好となり、またプロテクタ本体３０Ｂとへこみ２０Ｒ１との間に塵埃が入り込むことがない。
【００４４】
また、略扇形部材３０ＢＳがプロテクタ位置保持部４４の支持片４４Ｓと協働してその自重で第１と第２の位置Ｐ１、Ｐ２とにそれぞれ位置保持されるので、プロテクト本体３０Ｂを引き手本体２０に直接的又は間接的に弾性的に係止する必要がない。
【００４５】
この第３の形態による引き手１０の使用状態は、図１乃至図５の第１の形態による引き手１０とほぼ同様であるが、図１１の第１の格納位置Ｐ１からプロテクタ本体３０Ｂの指当て３０ｆ１に指を当ててこのプロテクタ本体３０Ｂを反時計方向に倒すと、その自重が手伝って図１２に示す第２の突出位置Ｐ２となり、またこの第２の位置Ｐ２から略扇形部材３０ＢＳを指で押し上げて第１の位置に戻すことができる。
【００４６】
なお、上記実施の形態では、プロテクタ本体３０Ｂは、垂直揺動運動又は水平直線運動によって第１の位置と第２の位置との間を変位するが、例えば、水平揺動運動その他の適宜の運動形態で手動によって変位させることができる。また、第１及び第２の形態で、手動変位手段４０は、プロテクタ位置保持部を有するが、プロテクタ本体３０Ｂが摩擦的に垂直揺動運動又は水平直線運動する場合に特にプロテクタ位置保持手段を必要としないことはもちろんである。
【産業上の利用可能性】
【００４７】
引き手のプロテクタは、プロテクタ本体を引き手本体のへこみ内に格納された第１の位置と引き手本体のへこみから突出する第２の位置との間を揺動（回動）又は水平移動等によって手動で変位するようにしたので、プロテクタの構造が簡単であり、またプロテクタ本体を確実に第２の位置に変位することができ、また、プロテクタ本体は、第１の位置（格納位置）と第２の位置（突出位置）にそれぞれ確実に保持されるので、引き手による引き戸の開閉に支障を来たすことがなく、産業上の利用性が向上する。
【図面の簡単な説明】
【００４８】
【図１】本発明の第１の形態による引き手の垂直断面図である。
【図２】図１の引き手の正面図である。
【図３】図１の引き手の引き手半部材の背面図である。
【図４】図１の引き手において第１の位置にあるプロテクタの部分拡大断面図である。
【図５】図１の引き手において第２の位置にあるプロテクタの部分拡大断面図である。
【図６】本発明の第２の形態による引き手の垂直断面図である。
【図７】図６の引き手の正面図である。
【図８】図６の引き手の引き手半部材の背面図である。
【図９】図６の引き手において第１の位置にあるプロテクタの部分拡大断面図である。
【図１０】図６の引き手において第２の位置にあるプロテクタの部分拡大断面図である。
【図１１】本発明の第３の形態による引き手の第１の位置にあるプロテクタの部分拡大断面図である。
【図１２】図１１の引き手において第２の位置にあるプロテクタの部分拡大断面図である。
【符号の説明】
【００４９】
１０  引き手
２０  引き手本体
２０Ｆ１、２０Ｆ２  フランジ
２０Ｒ、２０Ｒ１、２０Ｒ２  へこみ
２０Ｍ１、２０Ｍ２  引き手の半部材
２０Ｈ１  ねじ孔
２０Ｈ２  ねじ貫通孔
２０Ｗ  水平壁
２０Ｎ  切欠き孔
２２  止めねじ
３０  プロテクタ
３０Ｂ  プロテクタ本体
３０ＢＳ  略扇形部材
３０Ｃ  根元部分
３０Ｅ  延長片
３０ｆ１  指当て
３０ｆ２  指掛け
３０Ｈ  長孔
３０ＨＥ  弾性係止孔部分
３０ＨＲ  小突起
４０  手動変位手段
４２  プロテクタ枢支部
４２Ｐ  枢軸
４４  プロテクタ位置保持部
４４ＲＰ  弾性的に係止する部分
４４Ｐ  小突起
４４Ｒ  丸い凹部
４４Ｓ  ストッパ
４４Ｓ１  第１位置支持片
４４Ｓ２  第２位置支持片
４４ＳＰ  支持片
４６  プロテクタ水平案内部
４６Ｒ  案内杆
５０  引き戸
５０Ｈ  取付け孔
Ｐ１  第１の位置
Ｐ２  第２の位置
【図１】
2006125052.tif 000003
【図２】
2006125052.tif 000004
【図３】
2006125052.tif 000005
【図４】
2006125052.tif 000006
【図５】
2006125052.tif 000007
【図６】
2006125052.tif 000008
【図７】
2006125052.tif 000009
【図８】
2006125052.tif 000010
【図９】
2006125052.tif 000011
【図１０】
2006125052.tif 000012
【図１１】
2006125052.tif 000013
【図１２】
2006125052.tif 000014